(57)【特許請求の範囲】
【請求項１】
化粧料を噴出させるノズルからなる噴出口を先端に備え、さらに前記化粧料を供給する化粧料入れカップと、前記化粧料の噴出量を調整する操作レバーと、エア搬送用のエアホースを差し込むエアホースコネクターと、を備えたエアブラシと、該エアブラシとコンプレッサー間に介挿される中空状のエアホースと、前記エアブラシにエアを供給するコンプレッサーと、を設けた化粧用噴霧器を用いた化粧方法であって、
エアブラシの噴出口の口径を直径０．３０〜０．４５ｍｍとし、
コンプレッサーの圧縮能力として、エア流量が０のときの吐き出し圧が１１０ＫＰａ以上の圧縮能力を備え、
前記化粧料入れカップに、粘度が６００〜９００ｍＰａ・ｓ／３０℃である化粧料を投入し、前記操作レバーを操作してコンプレッサーからのエアの量と圧力を調整しながら前記噴出口から噴出量をコントロールした霧状の化粧料を皮膚に噴射することで化粧を施し、
操作レバーは、操作レバーガイドによって支えられ、スプリングによって動きを制限されていることを特徴とする化粧用噴霧器を用いた化粧方法。
【請求項２】
化粧料を噴出させるノズルからなる噴出口を先端に備え、さらに前記化粧料を供給する化粧料入れカップと、前記化粧料の噴出量を調整する操作レバーと、エア搬送用のエアホースを差し込むエアホースコネクターと、を備えたエアブラシと、該エアブラシとコンプレッサー間に介挿される中空状のエアホースと、前記エアブラシにエアを供給するコンプレッサーと、を設けた化粧用噴霧器を用いた化粧方法であって、
エアブラシの噴出口の口径を直径０．３０〜０．４５ｍｍとし、
コンプレッサーの圧縮能力として、エア流量が０のときの吐き出し圧が１１０ＫＰａ以上の圧縮能力を備え、
前記化粧料入れカップに、粒子径が３０μｍ以下の粉体を含有しかつ粘度が６００〜９００ｍＰａ・ｓ／３０℃である化粧料を投入し、前記操作レバーを操作してコンプレッサーからのエアの量と圧力を調整しながら前記噴出口から噴出量をコントロールした霧状の化粧料を皮膚に噴射することで化粧を施し、
操作レバーは、操作レバーガイドによって支えられ、スプリングによって動きを制限されていることを特徴とする化粧用噴霧器を用いた化粧方法。
【請求項３】
化粧料の剤型が水系又は乳化系の何れかであることを特徴とする請求項１又は２記載の化粧用噴霧器を用いた化粧方法。
【発明の詳細な説明】
【技術分野】
【０００１】
本発明は化粧用噴霧器を用いた化粧方法であって、噴霧器の出口から霧状の化粧料を皮膚に噴射して化粧を施す化粧方法に関する。
【背景技術】
【０００２】
従来から、化粧に際して、コットン、スポンジ等のパフ、メイクブラシ等の付け具や手を使ってファンデーション等の化粧料を塗布することが行われている。
しかしながら、化粧料を均一に薄く塗る等の美しい化粧仕上がりや化粧崩れのないメイクを持続性に優れたものにするためには個人の化粧テクニックが必要であり、例えば、肌の凹凸によってファンデーションの厚さの差（発色ムラ）ができてしまう。また、ファンデーションが必要以上に入り込んでしまうため、厚化粧になり、肌への負担も増してしまいがちであった。
【０００３】
さらに、従来、サンスクリーン、化粧水等は重ね付けが不自然であり、この観点からファンデーション等のメーキャップ化粧料の前にプレメイクとして使用する等、化粧手順が限られてしまい化粧効率が極めて悪かった。その他、付け具に化粧料が付着し、化粧料の付着ロスが多く発生し、さらに前記付け具を用いた塗布による肌の摩擦刺激等の欠点も見られた。
【０００４】
これらに対して、最近、付け具に替わって、化粧用具として霧状の化粧料を利用したエアブラシが知られるようになっている（特許文献１、２参照）。
エアブラシを用いたエアブラシメイクは、化粧料を肌に吹きかけることでメイクをするもので、前記化粧効率、化粧料ロス、肌への摩擦刺激等の点で明らかな改善が見られた。
【０００５】
もともとエアブラシはミスト状に塗料を噴出するための絵画用品であり、絵画における、ぼかしやグラデーションの表現技術を発揮するためのものであり、前記エアブラシによるメイク技術は、この絵画技術を応用したものである。
そのため、化粧用具としてはいまだ充分なものではなく、特に、化粧の透明感、均一で自然な仕上がり等の美しい化粧仕上がり、メイクの持続性の点で不満があり、化粧用具としてのさらなる開発が要望されている。
【先行技術文献】
【特許文献】
【０００６】
【特許文献１】特開２００６−３１４８３２号公報
【特許文献２】特開２０１０−１１５５９０号公報
【発明の概要】
【発明が解決しようとする課題】
【０００７】
本発明は上記事情に鑑みて従来のエアブラシによる化粧方法を改善しようとするものであり、その目的は、特に美しい化粧仕上がりが得られ、メイクの持続性に優れた化粧用噴霧器を用いた化粧方法を提供することにある。
【０００８】
本発明者らは上記課題を解決するために鋭意研究を行った結果、使用性を向上させた化粧用噴霧器を用いて、この化粧用噴霧器に適した化粧料を霧状に皮膚に噴射して化粧を施すことにより上記課題が解決されることを見出し、本発明を完成するに至った。
【課題を解決するための手段】
【０００９】
上記目的を達成するために、請求項１の発明は、化粧料を噴出させるノズルからなる噴出口を先端に備え、さらに前記化粧料を供給する化粧料入れカップと、前記化粧料の噴出量を調整する操作レバーと、エア搬送用のエアホースを差し込むエアホースコネクターと、を備えたエアブラシと、該エアブラシとコンプレッサー間に介挿される中空状のエアホースと、前記エアブラシにエアを供給するコンプレッサーと、を設けた化粧用噴霧器を用いた化粧方法であって、
エアブラシの噴出口の口径を直径０．３０〜０．４５ｍｍとし、
コンプレッサーの圧縮能力として、エア流量が０のときの吐き出し圧が１１０ＫＰａ以上の圧縮能力を備え、
前記化粧料入れカップに、粘度が６００〜９００ｍＰａ・ｓ／３０℃である化粧料を投入し、前記操作レバーを操作してコンプレッサーからのエアの量と圧力を調整しながら前記噴出口から噴出量をコントロールした霧状の化粧料を皮膚に噴射することで化粧を施し、
操作レバーは、操作レバーガイドによって支えられ、スプリングによって動きを制限されていることを特徴とする化粧用噴霧器を用いた化粧方法である。
【００１０】
請求項２の発明は、化粧料を噴出させるノズルからなる噴出口を先端に備え、さらに前記化粧料を供給する化粧料入れカップと、前記化粧料の噴出量を調整する操作レバーと、エア搬送用のエアホースを差し込むエアホースコネクターと、を備えたエアブラシと、該エアブラシとコンプレッサー間に介挿される中空状のエアホースと、前記エアブラシにエアを供給するコンプレッサーと、を設けた化粧用噴霧器を用いた化粧方法であって、
エアブラシの噴出口の口径を直径０．３０〜０．４５ｍｍとし、
コンプレッサーの圧縮能力として、エア流量が０のときの吐き出し圧が１１０ＫＰａ以上の圧縮能力を備え、
前記化粧料入れカップに、粒子径が３０μｍ以下の粉体を含有しかつ粘度が６００〜９００ｍＰａ・ｓ／３０℃である化粧料を投入し、前記操作レバーを操作してコンプレッサーからのエアの量と圧力を調整しながら前記噴出口から噴出量をコントロールした霧状の化粧料を皮膚に噴射することで化粧を施し、
操作レバーは、操作レバーガイドによって支えられ、スプリングによって動きを制限されていることを特徴とする化粧用噴霧器を用いた化粧方法である。
【００１１】
請求項３の発明は、化粧料の剤型が水系又は乳化系の何れかであることを特徴とする請求項１又は２記載の化粧用噴霧器を用いた化粧方法である。
【発明の効果】
【００１４】
本発明に係る特定の顔料の入ったメーキャップ化粧料等、本発明の化粧料を用いれば、優れた霧状の化粧料を噴出させる優れた化粧方法が得られる。
すなわち、請求項１及び２記載の化粧方法によれば、
（１）透明感（仕上がりの薄づき）、立体感、自然な仕上がり、毛穴やにきび跡の凹凸のカバー力（肌の凹凸に沿って均一で自然に着色できる）、肌の色ムラ（シミやそばかす等）のカバー力、  顔全体噴霧の均一さ（ムラのない仕上がり）、等の「化粧料上がり」の総合的な美しさ（以下、単に「化粧仕上がりの美しさ」という。）が非常に優れており、プロ並の美しい化粧仕上がりが素人でもできるという効果がある。
（２）手早く仕上げることができ、化粧が非常に簡便であるという効果がある。
（３）細かい（１ｍｍ単位）部分の化粧が簡単にでき、細いラインも簡単に描け、細かい作業をすることに非常に優れており、チーク、ハイライト、アイシャドウ、アイブロウ、口紅にも応用できるという効果がある。
（４）化粧崩れがなく、メイクの持続性に非常に優れているという効果がある。
（５）付け具使用による化粧の場合の付け具への化粧料の付着のような化粧料のロスが全くなく、化粧料の使用量が従来に比べて少なくて済む効果がある。
（６）コットン、スポンジ等の付け具を用いた塗布によるような肌への摩擦刺激がなく、特に敏感肌の人に有効であるという効果がある。
（７）重ね付けが極めて自然にできるので、メイクが終わった後に化粧料の噴霧が可能になり、化粧効率が極めてよいという効果がある。
【００１５】
本発明は、エアブラシの噴出口の口径を直径０．３０〜０．４５ｍｍとしたため、優れた霧状の化粧料を噴出させることができるという効果を発揮する。
【００１６】
本発明は、コンプレッサーの圧縮能力として、エア流量が０のときの吐き出し圧が１１０ＫＰａ以上の圧縮能力を備えているため、静かな音で、大きな圧力が得られるという効果と、コンプレッサーの能力が高性能であるため、化粧用噴霧器全体を軽量にすることができ、その結果化粧用噴霧器の持ち運びが容易となるという効果を発揮する。
【００１７】
本発明は、化粧料の剤型が水系又は乳化系の何れかであるため、塗布された化粧料が経時で化粧崩れがなく、メイクの持続性が非常に優れている上に、化粧を落とす際、化粧料を簡単に除去することができるという効果を発揮する。
【図面の簡単な説明】
【００１８】
【図１】本実施形態に係る化粧用噴霧器を示した斜視図である。
【図２】本実施形態に係る化粧用噴霧器を構成するエアブラシを示した断面概略図である。
【図３】図２のエアブラシを各部品に分解して示した概略図である。
【図４】本実施形態に係る化粧用噴霧器を構成するコンプレッサーを示した右側方向からの斜視図である。
【図５】本実施形態に係る化粧用噴霧器を構成するコンプレッサーを示した左側方向からの斜視図である。
【図６】本発明に係る一実施形態のピストン型コンプレッサーの概略構造の断面図である。
【図７】本発明に係る一実施形態の小型ダイヤフラム型コンプレッサーの概略構造の断面図である。
【発明を実施するための形態】
【００１９】
以下、図面を参照して本発明の化粧用噴霧器を用いた化粧方法の実施の形態を説明する。
なお、本明細書で説明する化粧方法には、医療行為は含まれない。
本発明に係る化粧用噴霧器１は、図１に示すように、化粧料を噴出させるノズル１０３（ノズルキャップ１０２内の部品、図３に表示）からなる噴出口（以下、単に「ノズル１０３」という。）を先端に備え、さらに前記化粧料を供給する化粧料入れカップ１２１と、前記化粧料の噴出量を調整する操作レバー１０８と、エア搬送用のエアホース２００を差し込むエアホースコネクター１２０とを備えたエアブラシ１００と、
該エアブラシ１００とエアホースコネクター１２０間に介挿される中空状のエアホース２００とが備えられている。
さらに化粧用噴霧器１には、前記エアブラシ１００にエアを供給するコンプレッサー３００が備えられており、ノズル１０３から霧状の化粧料を噴出させることができるように構成されている。
【００２０】
図２は本実施形態に係る化粧用噴霧器１を構成するエアブラシ１００を示した断面概略図であり、図３は、図２のエアブラシ１００を各部品に分解して示した概略図である。
図２及び図３に示すように、エアブラシ１００は、化粧料を噴出させるノズル１０３を先端に備え、さらに前記化粧料を供給する化粧料入れカップ１２１と、前記化粧料の噴出量を調整する操作レバー１０８と、エア搬送用のエアホース２００を差し込むエアホースコネクター１２０とが備えられている。
【００２１】
ここでノズル１０３には、該ノズル１０３を塞ぐ状態で棒状（円柱状）の先端が針状のニードル１０５が、ニードル固定ガイド１１２に固定され、ニードル１０５の先端部分を前記ノズル１０３の口部に飛び出しニードルガイド１０７内に摺動自在で、かつスプリング１１１の作用によって前記ノズル１０３を塞ぐ状態でセットされており、レバー１０８の作用によって開状態にすることが可能である。
ノズル１０３の口部分には前記ニードル１０５が飛び出しており、これをカバーするためにニードルカバー１０１及びノズルキャップ１０２が備えられている。
なお図中の符号１０４はノズルキャップＯリング、１０６はニードルガイドＯリング、１１０はストッパー、１１３はニードル固定ナット、１１４はテールカバー、１１５はガイドねじ、１１７は操作レバーガイドＯリング、１１８はバルブＯリング、１１９はクイックコネクターである。
【００２２】
化粧料入れカップ１２１は、本実施形態にあっては、漏斗形状のものがカップ用ふた１１６を付けてエアブラシ１００の上部に取り付けられる。なお化粧料入れカップ１２１の容量は、例えば、２〜５ｃｃ程度が好ましい。
操作レバー１０８は、操作レバーガイド１０９によって支えられ、スプリング１１１によって動きを制限されている。
【００２３】
エアブラシ１００の下部に配設されるエアホースコネクター１２０には、一端の接続部（コンプレッサーと接続される接続部）２０１をコンプレッサー３００のエアホース接続口３０２に接続されたエアホース２００の他端の接続部（エアブラシと接続される接続部）２０２が接続される。これにより、エアホース２００を介してコンプレッサー３００からエアブラシ１００にエアを供給することができる。
エアブラシ１００は、化粧料入れカップ１２１から送り込まれた化粧料と、コンプレッサー３００から送り込まれたエアが、エアブラシ１００の内部で混ざり合って、ノズル１０３から霧状の化粧料が噴霧されることになる。
【００２４】
エアブラシ１００の操作レバー１０８を引くことにより、化粧料が通るすき間がノズル１０３にできる。ノズル１０３のまわりをエアが通ることによりベンチュリー効果により霧状の化粧料が前記すき間から噴出される一方、操作レバー１０８を戻すことにより霧状の化粧料の噴出が停止する。ノズル１０３の口径は、特に限定されないが、直径０．３０〜０．４５ｍｍとすることが好ましい。この範囲にすることによって、優れた霧状の化粧料を噴出させることができる。
エアブラシ１００の大きさ（寸法）は特に限定されないが、手の持ちやすさの点からは、好ましくは、例えば、縦１３〜２３ｍｍ、横１３１〜１５１ｍｍ、高さ４０〜７０ｍｍである。
【００２５】
図４は、本実施形態に係る化粧用噴霧器１を構成するコンプレッサー３００を示した右側方向からの斜視図である。図４に示すように、コンプレッサー３００は、上面に電源スイッチ３０１が配設されている。この電源スイッチ３０１を押圧することにより、電源の「オン」（ＯＮ）と「オフ」（ＯＦＦ）が切り換えられる。電源が「オン」（ＯＮ）の時は、エアホース２００を介して連結されるエアブラシ１００にエアが供給されることになる。一方、再度電源スイッチ３０１を押圧すると、電源が「オフ」（ＯＦＦ）となり、エアの供給が止まる。
【００２６】
図５は、本実施形態に係る化粧用噴霧器１を構成するコンプレッサー３００を示した左側方向からの斜視図である。図５に示すように、コンプレッサー３００の左側面には、エアホース２００を接続するためのエアホース接続口３０２が形成されている。該エアホース接続口３０２に、エアホース２００の一端に形成された接続部（コンプレッサーと接続される接続部）２０１を接続し、該エアホース２００の他の端に形成された接続部（エアブラシと接続される接続部）２０２をエアブラシ１００のエアホースコネクター１２０に接続することにより、コンプレッサー３００がエアブラシ１００とエアホース２００を介して連結され、コンプレッサー３００からエアブラシ１００にエアが供給可能となる。
【００２７】
また、図５又は図１に示すように、コンプレッサー３００の左側面には、ＡＣアダプターのコネクターを挿入するＡＣコネクター挿入口３０３が形成されている。該ＡＣコネクター挿入口３０３に、電源コード３０４の一端に設けられたＡＣアダプターのコネクターを挿入し、電源コード３０４の他の端に設けられたＡＣアダプターのプラグをコンセントに差し込むことにより、コンプレッサー３００に電源が供給されることになる。
コンプレッサーの型としては、例えば、一般的なピストン型コンプレッサー４００や、小型ダイヤフラム型コンプレッサー５００が用いられる。
【００２８】
つぎにピストン型コンプレッサー４００の動作概要を説明する。
図６には、ピストン型コンプレッサー４００の概略構造の断面図を示した。
［基本動作］
図６に示すように、モーター軸４０２とピストン４０５のベアリング４０４の中心軸の間にオフセットがあるために、モーター４０１の回転に伴い、ピストン４０５が上下に動作する。ピストン４０５の動作とバルブ４０８の開閉により、エアを送り出す。
なお図中の符号４０３はカウンターウエイト、４０４はベアリング、４０９はシリンダヘッドである。
【００２９】
［動作］
・ピストン４０５が、上死点から下死点まで動作する間に、バルブ４０８の排気側は閉、吸気側は開となり、バルブ４０８の吸気側を通して外部からエアをシリンダー４０７内に吸気する。（バルブの吸気側は図中では省略）
・ピストン４０５が、下死点から上死点まで動作する間に、バルブ４０８の吸気側は閉、排気側は開となり、バルブ４０８の排気側、排気吐出口４１０を介してエアホース２００にエアが吐き出される。
・エアホース２００の反対側には、エアブラシ１００が接続されている。エアブラシ１００から排出される空気量（エア量）は、コンプレッサー３００の最大吐出空気量より小さいため、結果としてコンプレッサー３００から吐出される空気圧（エア圧）は高くなる。
【００３０】
つぎに小型ダイヤフラム型コンプレッサー５００動作概要を説明する。
図７には、小型ダイヤフラム型コンプレッサー５００の概略構造の断面図を示した。
［基本動作］
図７に示すように、複数の小型ダイヤフラム５０５（図中では２個）を、モーター５０８の回転に伴って順番に動作させ、連続してエアを送り出す。
なお図中の符号５０１は排気吐出口、５０２は吸気口、５０４は吸気側バルブである。
【００３１】
［動作］
・ダイヤフラム駆動リンク５０６は、その中心がモーター軸５０７の中心の延長上になるように設計されているため、モーター軸５０７が回転すると、首振り運動をする。これによりモーター５０８の回転に伴って、ダイヤフラム５０５が順番に駆動（押し引き）される。
・引かれたダイヤグラム５０５は、外部のエアを吸入し、押されたダイヤフラム５０５は内部のエアを排気側バルブ５０３、排気吐出口５０１を介してエアホース２００に吐き出す。
・エアホース２００の反対側には、エアブラシ１００が接続されている。エアブラシ１００から排出される空気量（エア量）は、コンプレッサー３００の最大吐出空気量より小さいため、結果としてコンプレッサー３００から吐出される空気圧（エア圧）は高くなる。
【００３２】
ついでコンプレッサー３００の圧縮能力について説明すると、エア流量が０のときの吐き出し圧（以下、単に「吐き出し圧」という。）が１１０ＫＰａ以上であることが好ましい。この範囲にすることによって、静かな音で、大きな圧力が得られるという効果と、コンプレッサーの能力が高性能であるため、化粧用噴霧器全体を軽量にすることができ、その結果化粧用噴霧器の持ち運びが容易となる。
また騒音について説明すると、コンプレッサー３００による騒音を７２ｄＢ以下（１０ｃｍ離れた距離で測定）にすることが好ましい。
これらによって、静かな音で、大きな圧力が得られるので、快適に化粧をすることができる。
さらに重量について説明すると、コンプレッサー３００の重量を４００ｇ以下にすることが好ましい。軽量にすることによって、普段の化粧において、重量による負担なく、持ち運びも自在にできる。
またエアの供給量について説明すると、コンプレッサー３００は、エアブラシ１００に対してエアを供給するものであるが、エアの供給量は、４〜６Ｌ／ｍｉｎ．とすることが好ましい。
さらにコンプレッサー３００の大きさ（寸法）は、特に限定されないが、全体をコンパクトにするため、例えば、縦５０〜１３０ｍｍ、横５０〜１３０ｍｍ、高さ３５〜６５ｍｍであることが好ましい。
一般的には、例えば、図６又は図７のコンプレッサー４００又は５００をプラスチックでカバーして図４及び図５の形態のコンプレッサー３００にして使用する。
【００３３】
つぎに中空状のエアホース２００は、コンプレッサー３００とエアブラシ１００を空気的に連結し、コンプレッサー３００からエアブラシ１００にエアを供給する。エアホース２００は、エアが通過可能であれば特に制限はなく、例えば、材質については、特に限定されないが、シリコーン、ポリウレタン、ポリ塩化ビニル、ポリエチレン等が好ましい。
また、エアホース２００の長さ及び内径は特に制限されないが、例えば、長さは１５０ｃｍ程度とすればよく、１００〜２００ｃｍとすることができる。また、内径は直径３ｍｍ程度とすればよく、１〜５ｍｍ程度とすることができる。
【００３４】
次いで、化粧用噴霧器１を用いた本発明の化粧方法について説明する。
［コンプレッサー３００］→［エアホース２００］→［エアブラシ１００］の順に接続し、コンプレッサー３００のＡＣコネクター挿入口３０３に、電源コード３０４の一端に設けられたＡＣアダプターのコネクターを挿入し、電源コード３０４の他端に設けられたＡＣアダプターのプラグをコンセントに挿入する。
次に、前記コンプレッサー３００の電源スイッチ３０１を押して電源を「オン」（ＯＮ）にし、電源を入れると、コンプレッサー３００の動作により、エアホース２００を介してエアブラシ１００に圧縮されたエアが供給される。
【００３５】
前記エアブラシ１００の化粧料入れカップ１２１に、噴霧させる所望の化粧料を所定量、例えば、化粧料を蓄蔵した樹脂ボトルの口から５〜６滴投入し、前記エアブラシ１００を手に持ち、先端を顔等の噴霧したい部位に向けて操作レバー１０８を引くと、ノズル１０３から噴霧が開始され、前記カップ１２１内の化粧料が噴出する。
エアブラシ１００から吐出される最大空気量は、コンプレッサー３００の最大吐出空気量よりも小さいため、コンプレッサー３００によりエアが圧縮され、圧縮されたエアが化粧料とともにエアブラシ１００から吐出されることになる。
【００３６】
噴霧に当たっては、先端のノズル１０３を顔等の噴霧したい部位に向けて、操作レバー１０８の引きの強弱を操作してエアの量と圧力を調整しながら円を描くように吹きつける。弱く引くと噴出量は少なく、ポイントメイクや細いラインを描く際に使える。強く引くと噴出量が多く、広範囲の化粧に使用できる。例えば、気になるポイントには操作レバー１０８を弱く引き、顔に近づけて吹きつける。また、広範囲には操作レバー１０８を強く引き、顔から離して吹きつける。これらを繰り返し、噴出量をコントロールした霧状の化粧料を皮膚に噴射して化粧を施して、化粧する。
そして、所定量の噴霧により化粧が終了したら、コンプレッサー３００の電源スイッチ３０１を押して電源を「オフ」（ＯＦＦ）してエアの供給を止める。
【００３７】
本発明に用いる化粧料は、粘度を６００〜９００ｍＰａ・ｓ／３０℃にコントロールする必要がある。
本発明に用いる化粧料には、粉体は含んでも含まなくてもよいが、含む場合は、その粒子径が３０μｍ以下のものを配合する必要がある。
なお、上記粘度は、東京計器製のＢ型粘度計を用いて３０℃で測定した値である。
本発明に用いる化粧料の粘度が上記範囲外であると、化粧するに当たって適当な霧が得られず、優れた化粧効果、特に美しい化粧仕上がりが得られない。
また、粉体の粒子径が３０μｍより大きくなると目詰まりを起こすなど、この場合も適当な霧が得られず、化粧効果に支障をきたす。
粉体を含む場合の、粉体の粒子径は０．１〜３０μｍが好ましい。
粘度を上記範囲にする手段は特に限定されず、公知の方法が採用されるが、必要に応じて、例えば増粘剤、油ゲル化剤を配合して調整することが好ましい。
【００３８】
増粘剤としては、例えば、グアガム、クインスシード、カラギーナン、ガラクタン、アラビアガム、ペクチン、マンナン、デンプン、キサンタンガム、カードラン、メチルセルロース、ヒドロキシエチルセルロース、カルボキシメチルセルロース、メチルヒドロキシプロピルセルロース、コンドロイチン硫酸、デルマタン硫酸、グリコーゲン、ヘパラン硫酸、ヒアルロン酸、ヒアルロン酸ナトリウム、トラガントガム、ケラタン硫酸、コンドロイチン、ムコイチン硫酸、ヒドロキシエチルグアガム、カルボキシメチルグアガム、デキストラン、ケラト硫酸，ローカストビーンガム，サクシノグルカン，カロニン酸，キチン，キトサン、カルボキシメチルキチン、寒天、ポリビニルアルコール、ポリビニルピロリドン、カルボキシビニルポリマー、ポリアクリル酸ナトリウム、ポリエチレングリコール、ベントナイト等が挙げられる。増粘剤は１種又は２種以上が任意に選択されて配合することができる。
油ゲル化剤としては、例えば、デキストリン脂肪酸エステル、金属石けん、有機変性粘土鉱物等が挙げられる。油ゲル化剤は、１種又は２種以上が任意に選択されて配合することができる。
【００３９】
上記範囲の粉体を配合する場合は、例えば、マイカ、タルク、カオリン、セリサイト（絹雲母）、白雲母、金雲母、合成雲母、紅雲母、黒雲母、リチア雲母、合成雲母、炭酸カルシウム、炭酸マグネシウム、無水ケイ酸（シリカ）、ケイ酸アルミニウム、ケイ酸バリウム、ケイ酸カルシウム、ケイ酸マグネシウム、ケイ酸ストロンチウム、酸化アルミニウム、硫酸バリウム、ベンガラ、黄酸化鉄、黒酸化鉄、酸化コバルト、群青、紺青、酸化チタン、酸化亜鉛、雲母チタン（酸化チタンコーテッドマイカ）、魚燐箔、オキシ塩化ビスマス、窒化ホウ素、有機色素（赤色２２６号、青色４０４号等）、ポリエチレン粉末、ポリメタクリル酸メチル粉末、ポリアミド樹脂粉末（ナイロン粉末）、セルロース粉末、オルガノポリシロキサンエラストマー、アルミニウムパウダー、カッパーパウダー等が挙げられる。粉体は、１種又は２種以上が任意に選択されて配合することができる。
粉体の含有量は、特に限定されないが、化粧料全量中１０質量％以下であることが好ましい。特に、化粧料がファンデーションである場合、５〜９質量％であることが好ましい。
本発明において、粉体を配合する場合は、粉末分散剤を配合することが化粧料の安定性のために好ましい。粉末分散剤としては、例えば、ポリオキシエチレンアルキルエーテル、ポリオキシエチレンアルキルエーテル硫酸塩、ポリアクリル酸ナトリウム、スルホコハク酸ジオクチルナトリウム等が挙げられる。
【００４０】
本発明における化粧料には、前記成分の他に、化粧料、医薬部外品、医薬組成物等に通常用いられる他の成分を本発明の効果を損なわない範囲で適宜配合することができる。前記任意配合成分としては、例えば、油分、界面活性剤、保湿剤、多価アルコール、低級アルコール、糖類、紫外線吸収剤、アミノ酸類、ビタミン類、美白剤，皮膚賦活剤，血行促進剤，等の薬剤、植物抽出物、有機酸、有機アミン、金属イオン封鎖剤、ｐＨ調整剤、酸化防止剤、抗菌剤、防腐剤、収斂剤、清涼剤、香料、水等を挙げることができる。
【００４１】
本発明の化粧料は常法に従って製造することができ、その剤型、形態としては、特に限定されないが、水系又は乳化系が好ましく、メーキャップ化粧料、乳液、化粧水等が挙げられる。具体的には、リキッド（乳化）ファンデーション、サンスクリーン、化粧水、エッセンス等が挙げられる。
これによれば、塗布された化粧料が経時で化粧崩れがなく、メイクの持続性が非常に優れている上に、化粧を落とす際、化粧料を簡単に除去することができる。
前記乳化系としては、水中油型（Ｏ／Ｗ型）の乳化物がさらに好ましい。
リキッドファンデーションの場合、粉体が配合され、粉体としては顔料が好ましい。
【実施例】
【００４２】
以下実施例を挙げて本発明を具体的に説明する。配合量は特に断りのない限り質量％である。
また、実施例の化粧料は、いずれも常法にて製造した。実施例の説明に先立ち本発明で用いた効果試験方法、評価基準などについて説明する。以下に本発明における各効果試験項目を示した。
試験方法
２０名の専門パネルによる使用テストを行い、下記の評価項目それぞれについて、下記の評価点基準に基づいて評価した。次いで、各人がつけた評価点の平均点を計算し、下記評価基準に基づいて評価した。
【００４３】
（効果項目）
１．「化粧仕上がりの美しさ」
透明感（仕上がりの薄づき）、立体感、自然な仕上がり、毛穴やにきび跡の凹凸のカバー力、肌の色ムラ（シミやそばかす等）のカバー力（肌の凹凸に沿って均一で自然に着色できる）、顔全体噴霧の均一さ（ムラのない仕上がり）等の総合的な美しさを判断した結果を「化粧仕上がりの美しさ」とした。
２．「化粧の簡便さ」
「化粧が簡便」とは、手早く仕上げることができることをいう。
３．「細かい作業」
「細かい作業」とは、細かい（１ｍｍ単位）部分の化粧が簡単にでき、細いラインも簡単に描けることをいう。
４．「メイクの持続性」
「メイクの持続性」とは、化粧崩れがなく、メイクが長時間続くことをいう。
５．他の効果項目
他の効果項目として、「化粧料のロスのなさ」、「摩擦刺激のなさ」、「重ね付けの状態（メイクが終わった後の噴霧による重ね付けが自然にできるかどうか）について行った。
【００４４】
（評価点基準）
４点：非常に優れている。
３点：優れている。
２点：普通（どちらともいえない。）。
１点：劣る。
０点：非常に劣る。
【００４５】
（評価基準）
◎：平均点が３点を超える。
○：平均点が２点超３点以下である。
△：平均点が１点以上２点以下である。
×：平均点が１点未満である。
【００４６】
［実施例１〜２］
表１に示した成分、配合量の処方（配合量合計１００質量％）の「水溶性乳化（Ｏ／Ｗ型）ファンデーション（実施例１；色調ナチュラル、実施例２；色調カラメル）」を、図１の化粧噴霧器を用いて化粧を行なった。
なお、用いた噴霧器の、エアブラシの大きさ（寸法）；縦１８ｍｍ、横１４１ｍｍ、高さ６０ｍｍ
噴出口（ノズル）の口径；直径０．４ｍｍ
コンプレッサーのタイプ；ピストン型コンプレッサー
コンプレッサーの圧縮能力；吐き出し圧２２０ＫＰａ
コンプレッサーによる騒音；７２ｄＢ（１０ｃｍ離れた距離で測定）
コンプレッサーの重量；１８７ｇ
エアの供給量；４〜６Ｌ／ｍｉｎ．
コンプレッサーの大きさ（寸法）；縦１１８ｍｍ、横１１８ｍｍ、高さ５２ｍｍ
であった。
【００４７】
【表１】
0005896372.tif 000002
（注１）粒子径；３０μｍ以下（平均０．２５μｍ）
（注２）粒子径；３０μｍ以下（５〜１０μｍ）
（注３）粒子径；３０μｍ以下（１０μｍ前後）
（注４）粒子径；３０μｍ以下（１０μｍ前後）
（注５）粒子径；３０μｍ以下（１０μｍ前後）
【００４８】
化粧方法
先に説明した「化粧用噴霧器１を用いた化粧方法」に基づいて化粧した。
化粧中、ファンデーションの詰まりは観察されなかった。
効果
上記実施例１〜２につき効果試験を行い、その評価結果を表２に示した。
【００４９】
【表２】
0005896372.tif 000003
【００５０】
（効果結果）
・化粧仕上がりの美しさが非常に優れており、プロ並の美しい化粧仕上がりが素人でもできることが分かる。
・化粧が非常に簡便であることが分かる。
・細かい作業をすることに非常に優れていることが分かる。
・メイクの持続性に非常に優れていることが分かる。
・化粧料のロスがなく、化粧料の使用量が少なくて充分であることが分かる。
・摩擦による刺激がないことが分かる。
・重ね付けが自然にできるので、化粧効率がよいことが分かる。
・その他、上記実施例１、２のファンデーションの洗浄について、いずれも一度の泡洗顔で完全に洗浄ができた。
【００５１】
［実施例３、４］
表３及び４に示した成分、配合量の処方（配合量合計１００質量％）の「アフターメイクアップサンスクリーン（実施例３；Ｏ／Ｗ型、水溶性、ＳＰＦ２５、実施例４；Ｗ／Ｏ型、油溶性、ＳＰＦ２５）」を、図１の化粧噴霧器を用いて化粧を行なった。
なお、用いた噴霧器の、
エアブラシの大きさ（寸法）；縦１８ｍｍ、横１４１ｍｍ、高さ５０ｍｍ
噴出口（ノズル）の口径；直径０．４ｍｍ
コンプレッサーのタイプ；小型ダイヤフラム型コンプレッサー
コンプレッサーの圧縮能力；吐き出し圧１１０ＫＰａ
コンプレッサーによる騒音；５８ｄＢ（１０ｃｍ離れた距離で測定）
コンプレッサーの重量；１８７ｇ
エアの供給量；４〜６Ｌ／ｍｉｎ．
コンプレッサーの大きさ（寸法）；縦６０ｍｍ、横１２０ｍｍ、高さ４５ｍｍ
であった。
【００５２】
【表３】
0005896372.tif 000004
【００５３】
【表４】
0005896372.tif 000005
（注１）粒子径；３０μｍ以下（５μｍ前後）
（注２）粒子径；３０μｍ以下（２．５μｍ以下）
（注３）粒子径；３０μｍ以下
（注４）粒子径；３０μｍ以下（平均０．２５μｍ）
【００５４】
化粧方法
先に説明した「化粧用噴霧器１を用いた化粧方法」に基づいて化粧した。
化粧中、サンスクリーンの詰まりは観察されなかった。
効果
上記実施例３〜４につき効果試験を行い、その評価結果を表５に示した。
【００５５】
【表５】
0005896372.tif 000006
【００５６】
（効果結果）
・化粧仕上がりの美しさが非常に優れており、プロ並の美しい化粧仕上がりが素人でもできることが分かる。
・化粧が非常に簡便であることが分かる。
・細かい作業をすることに非常に優れていることが分かる。
・メイクの持続性に非常に優れていることが分かる。
・化粧料のロスがなく、化粧料の使用量が少なくて充分であることが分かる。
・摩擦による刺激がないことが分かる。
・重ね付けが自然にできるので、化粧効率がよいことが分かる。
・その他、実施例３の水溶性サンスクリーンは、メイクが終わった後に噴霧が可能であり、自然なメイクができた。また、一度の泡洗顔で完全に肌上からの洗浄が可能であった。
・さらに、実施例４の油溶性サンスクリーンも、メイクが終わった後に噴霧が可能であり、噴霧後はファンデーションを固定化し、汗や涙に強く、特に夏用の化粧料である。また、ファンデーションを固定化するための樹脂が強固に肌上に残るため洗浄はオイルクレンジングと泡洗顔料のダブル使用が必要であった。
【００５７】
［実施例５］
表６に示した成分、配合量の処方（配合量合計１００質量％）の「ミスト化粧水（メイク後に使用する、アフターメイクアップミスト）」を、図１の化粧噴霧器を用いて化粧を行なった。
なお、用いた噴霧器の、
エアブラシの大きさ（寸法）
噴出口（ノズル）の口径
コンプレッサーのタイプ；小型ダイヤフラム型コンプレッサー
コンプレッサーの圧縮能力
コンプレッサーによる騒音
コンプレッサーの重量
エアの供給量
コンプレッサーの大きさ（寸法）
は全て実施例１と同様であった。
【００５８】
【表６】
0005896372.tif 000007
【００５９】
化粧方法
先に説明した「化粧用噴霧器１を用いた化粧方法」に基づいて化粧した。
化粧中、化粧水の詰まりは観察されなかった。
なお、実施例５の化粧水は、メイク前に噴霧してもよいが、メイク後乾燥を感じた時にも使用できる両用の化粧料水である。
効果
上記実施例５につき効果試験を行い、その評価結果を表７に示した。
【００６０】
【表７】
0005896372.tif 000008
【００６１】
（効果結果）
・化粧仕上がりの美しさが非常に優れており、プロ並の美しい化粧仕上がりが素人でもできることが分かる。
・化粧が非常に簡便であることが分かる。
・細かい作業をすることに非常に優れていることが分かる。
・メイクの持続性に非常に優れていることが分かる。
・化粧料のロスがなく、化粧料の使用量が少なくて充分であることが分かる。
・摩擦による刺激がないことが分かる。
・重ね付けが自然にできるので、化粧効率がよいことが分かる。
【産業上の利用可能性】
【００６２】
本発明によれば、化粧方法を施す分野で利用可能である。
【符号の説明】
【００６３】
１    化粧用噴霧器
１００    エアブラシ
１０１    ニードルカバー
１０２    ノズルキャップ
１０３    ノズル
１０４    ノズルキャップＯリング
１０５    ニードル
１０６    ニードルガイドＯリング
１０７    ニードルガイド
１０８    操作レバー
１０９    操作レバーガイド
１１０    ストッパー
１１１    スプリング
１１２    ニードル固定ガイド
１１３    ニードル固定ナット
１１４    テールカバー
１１５    ガイドねじ
１１６    カップ用ふた
１１７    操作レバーガイドＯリング
１１８    バルブＯリング
１１９    クイックコネクター
１２０    エアホースコネクター
１２１    化粧料入れカップ
２００    エアホース
２０１    接続部（コンプレッサーと接続される接続部）
２０２    接続部（エアブラシと接続される接続部）
３００    コンプレッサー
３０１    電源スイッチ
３０２    エアホース接続口
３０３    ＡＣコネクター挿入口
３０４    電源コード
４００    ピストン型コンプレッサー
４０１    モーター
４０２    モーター軸
４０３    カウンターウエイト
４０４    ベアリング
４０５    ピストン
４０６    ピストンリング
４０７    シリンダー
４０８    バルブ
４０９    シリンダヘッド
４１０    排気吐出口
５００    小型ダイヤフラム型コンプレッサー
５０１    排気吐出口
５０２    吸気口
５０３    排気側バルブ
５０４    吸気側バルブ
５０５    ダイヤフラム
５０６    ダイヤフラム駆動リンク
５０７    モーター軸
５０８    モーター
【図１】
0005896372.tif 000009
【図２】
0005896372.tif 000010
【図３】
0005896372.tif 000011
【図４】
0005896372.tif 000012
【図５】
0005896372.tif 000013
【図６】
0005896372.tif 000014
【図７】
0005896372.tif 000015